(57)【要約】【課題】本発明は水が定量的に流れ出せる保温コップを提供した。【解決手段】コップ主体及び前記コップ主体の中に設置されて外部に連通している貯水チャンバを含み、前記貯水チャンバの開口のところには密封蓋がヒンジにより連結され、前記貯水チャンバの中には隔てブロックがスライド可能に設置され、前記隔てブロックの中には第一伝動チャンバが設置され、本発明の保温コップは水を飲む時にコップから水を定量で流れ出させることができ、また水が流れ出した後に速やかに撹拌を行い、それにより湯を速く適宜な温度に至るまで放熱させ、水を飲む人に便利を与える。【選択図】図１
2020175099.tif 000002
【特許請求の範囲】
【請求項１】
コップ主体及び前記コップ主体の中に設置されて外部に連通している貯水チャンバを含み、前記貯水チャンバの開口のところには密封蓋がヒンジにより連結され、前記貯水チャンバの中には隔てブロックがスライド可能に設置され、前記隔てブロックの中には第一伝動チャンバが設置され、前記第一伝動チャンバの左側端壁の中には第二伝動チャンバが設置され、前記第二伝動チャンバの左側端壁の中にはスライドチャンバが設置され、前記スライドチャンバの中にはスライドブロックがスライド可能に設置され、前記スライドブロックと前記スライドチャンバの端壁との間には第一復帰装置が弾性的に設置され、前記スライドブロックの右側端壁の中にはモータが固定的に設置され、前記モータの出力軸の右に伸びている末端には第一傘歯車が固定的に設置され、前記第一伝動チャンバの頂壁の中には遠心チャンバが設置され、前記遠心チャンバと前記第一伝動チャンバとの間には回転スリーブが回転可能に設置され、前記第一伝動チャンバの中の前記回転スリーブの外面には前記第一傘歯車と噛み合っている第二傘歯車が固定的に設置され、前記遠心チャンバの中の前記回転スリーブの外面には遠心盤が固定的に設置され、前記遠心盤の円周壁の中にはスライド溝が中心対称的に設置され、前記スライド溝の中には遠心ブロックがスライド可能に設置され、前記遠心ブロックと前記スライド溝の端壁との間には第二復帰装置が弾性的に設置され、前記回転スリーブの中には上下に貫通している回転チャンバが設置され、前記回転チャンバの内壁の中には斜め溝が中心対称的に設置され、前記回転チャンバの中にはねじスリーブが回転可能に設置され、前記ねじスリーブの円周壁には前記斜め溝に対応している第一スライド穴が中心対称的に設置され、前記第一スライド穴の中には第一スライドロッドがスライド可能に設置され、前記第一スライドロッドと前記第一スライド穴の端壁の間には第一ばねが弾性的に設置され、前記ねじスリーブの中には上下に貫通しているねじ穴が設置され、前記ねじ穴の中には上下に伸びているねじロッドがねじ山により連結され、前記ねじロッドの上下両側末端が前記貯水チャンバの上下端壁に固定的に設置され、前記スライドブロックの中には上下に貫通している水流出穴が設置され、前記遠心チャンバの右側端壁の中には前記水流出穴を貫通している第二スライド穴が設置され、前記第ニスライド穴の中には第二スライドロッドがスライド可能に設置され、前記第二スライドロッドと前記第二スライド穴の端壁との間には第三復帰装置が弾性的に設置され、前記第二スライドロッドの中には上下に貫通している抜き穴が設置され、前記遠心盤が回転して前記遠心ブロックを連動させて外へ移動させ、それにより前記第二スライドロッドを移動連動させ、それにより前記抜き穴を連動させて前記水流出穴と位置合わせし、それにより湯の入りと流出を実現することを特徴とする水が定量的に流れ出せる保温コップ。
【請求項２】
前記スライドチャンバの頂壁の中には第三スライド穴が設置され、前記第三スライド穴の中には前記スライドブロックと固定的に連結される第三スライドロッド及び前記第三スライドロッドの上方に位置している第一ラックがスライド可能に設置され、前記第一ラックと前記第三スライドロッドとの間には第二ばねが弾性的に設置され、前記第一ラックの頂壁には浮力ボールが固定的に装着され、前記第三スライドロッドの左側端壁の中にはロック溝が設置され、前記第三スライド穴の左側端壁の中には第四スライド穴が設置され、前記第四スライド穴の中には第二ラックがスライド可能に設置され、前記第四スライド穴と前記第三スライド穴との間にはギヤチャンバが連通するように設置され、前記ギヤチャンバの中には前記第一ラック及び前記第二ラックと噛み合っているギヤが回転可能に設置され、前記第三スライド穴の左側端壁の中には前記第四スライド穴を貫通している第五スライド穴が設置され、前記第五スライド穴の中にはロックロッドがスライド可能に設置され、前記ロックロッドと前記第五スライド穴の端壁との間には第三ばねが弾性的に設置され、前記ロックロッドの中には楔形穴が設置され、前記第二伝動チャンバの頂壁の中には撹拌軸が回転可能に設置され、前記第二伝動チャンバの中の前記撹拌軸の末端には第三傘歯車が固定的に設置され、前記撹拌軸の外面には複数組の撹拌羽根が固定的に設置され、設備が前記浮力ボールを利用して前記隔てブロックを制御して上下に移動させ、それにより定量の水の流出を実現することを特徴とする請求項１に記載の水が定量的に流れ出せる保温コップ。
【発明の詳細な説明】
【技術分野】
【０００１】
本発明はコップ分野に関わり、具体的には水が定量的に流れ出せる保温コップである。
【背景技術】
【０００２】
人々は保温コップを使用して水を飲む時、保温コップの保温効果でコップ内の湯を直ちに飲むことができなく、それと同時に普通の保温コップは水の流出量を制御しにくく、従って上記の問題を解決するため、水が定量的に流れ出せる保温コップが強く求められている。
【先行技術文献】
【特許文献】
【０００３】
【特許文献１】中国特許出願公開第１０８３７８６４４号明細書
【発明の概要】
【発明が解決しようとする課題】
【０００４】
本発明は水が定量的に流れ出せる保温コップを提供し、既存技術にある上記欠点を解消し、設備の実用性を高めることを目的とする。
【課題を解決するための手段】
【０００５】
本発明の水が定量的に流れ出せる保温コップは、コップ主体及び前記コップ主体の中に設置されて外部に連通している貯水チャンバを含み、前記貯水チャンバの開口のところには密封蓋がヒンジにより連結され、前記貯水チャンバの中には隔てブロックがスライド可能に設置され、前記隔てブロックの中には第一伝動チャンバが設置され、前記第一伝動チャンバの左側端壁の中には第二伝動チャンバが設置され、前記第二伝動チャンバの左側端壁の中にはスライドチャンバが設置され、前記スライドチャンバの中にはスライドブロックがスライド可能に設置され、前記スライドブロックと前記スライドチャンバの端壁との間には第一復帰装置が弾性的に設置され、前記スライドブロックの右側端壁の中にはモータが固定的に設置され、前記モータの出力軸の右に伸びている末端には第一傘歯車が固定的に設置され、前記第一伝動チャンバの頂壁の中には遠心チャンバが設置され、前記遠心チャンバと前記第一伝動チャンバとの間には回転スリーブが回転可能に設置され、前記第一伝動チャンバの中の前記回転スリーブの外面には前記第一傘歯車と噛み合っている第二傘歯車が固定的に設置され、前記遠心チャンバの中の前記回転スリーブの外面には遠心盤が固定的に設置され、前記遠心盤の円周壁の中にはスライド溝が中心対称的に設置され、前記スライド溝の中には遠心ブロックがスライド可能に設置され、前記遠心ブロックと前記スライド溝の端壁との間には第二復帰装置が弾性的に設置され、前記回転スリーブの中には上下に貫通している回転チャンバが設置され、前記回転チャンバの内壁の中には斜め溝が中心対称的に設置され、前記回転チャンバの中にはねじスリーブが回転可能に設置され、前記ねじスリーブの円周壁には前記斜め溝に対応している第一スライド穴が中心対称的に設置され、前記第一スライド穴の中には第一スライドロッドがスライド可能に設置され、前記第一スライドロッドと前記第一スライド穴の端壁の間には第一ばねが弾性的に設置され、前記ねじスリーブの中には上下に貫通しているねじ穴が設置され、前記ねじ穴の中には上下に伸びているねじロッドがねじ山により連結され、前記ねじロッドの上下両側末端が前記貯水チャンバの上下端壁に固定的に設置され、前記スライドブロックの中には上下に貫通している水流出穴が設置され、前記遠心チャンバの右側端壁の中には前記水流出穴を貫通している第二スライド穴が設置され、前記第ニスライド穴の中には第二スライドロッドがスライド可能に設置され、前記第二スライドロッドと前記第二スライド穴の端壁との間には第三復帰装置が弾性的に設置され、前記第二スライドロッドの中には上下に貫通している抜き穴が設置され、前記遠心盤が回転して前記遠心ブロックを連動させて外へ移動させ、それにより前記第二スライドロッドを移動連動させ、それにより前記抜き穴を連動させて前記水流出穴と位置合わせし、それにより湯の入りと流出を実現する。
【０００６】
好ましくは、前記スライドチャンバの頂壁の中には第三スライド穴が設置され、前記第三スライド穴の中には前記スライドブロックと固定的に連結される第三スライドロッド及び前記第三スライドロッドの上方に位置している第一ラックがスライド可能に設置され、前記第一ラックと前記第三スライドロッドとの間には第二ばねが弾性的に設置され、前記第一ラックの頂壁には浮力ボールが固定的に装着され、前記第三スライドロッドの左側端壁の中にはロック溝が設置され、前記第三スライド穴の左側端壁の中には第四スライド穴が設置され、前記第四スライド穴の中には第二ラックがスライド可能に設置され、前記第四スライド穴と前記第三スライド穴との間にはギヤチャンバが連通するように設置され、前記ギヤチャンバの中には前記第一ラック及び前記第二ラックと噛み合っているギヤが回転可能に設置され、前記第三スライド穴の左側端壁の中には前記第四スライド穴を貫通している第五スライド穴が設置され、前記第五スライド穴の中にはロックロッドがスライド可能に設置され、前記ロックロッドと前記第五スライド穴の端壁との間には第三ばねが弾性的に設置され、前記ロックロッドの中には楔形穴が設置され、前記第二伝動チャンバの頂壁の中には撹拌軸が回転可能に設置され、前記第二伝動チャンバの中の前記撹拌軸の末端には第三傘歯車が固定的に設置され、前記撹拌軸の外面には複数組の撹拌羽根が固定的に設置され、設備が前記浮力ボールを利用して前記隔てブロックを制御して上下に移動させ、それにより定量の水の流出を実現する。
【発明の効果】
【０００７】
本発明有益な効果は：本発明の保温コップは水を飲む時にコップから水を定量で流れ出させることができ、また水が流れ出した後に速やかに撹拌を行い、それにより湯を速く適宜な温度に至るまで放熱させ、水を飲む人に便利を与える。
【図面の簡単な説明】
【０００８】
本発明の実施例または既存の技術にある技術方案をよりはっきり説明できるため、下記に実施例または既存の技術を述べることに対して必要な附図を簡単に紹介し、明らかなように、下記に述べた附図はただ発明の一部分の実施例で、当業者にとって、創造的な労働を払わなくても、これらの附図に基づいてほかの附図を獲得できる。
【０００９】
【図１】図１は本発明の水が定量的に流れ出せる保温コップの全体構成模式図
【図２】図２は図１のＡの拡大構成模式図
【図３】図３は図１のＢの拡大構成模式図
【発明を実施するための形態】
【００１０】
本説明書に開示したすべての特徴、または開示したすべての方法または過程中のステップは、互いに排斥する特徴と／またはステップ以外に、いずれもあらゆる方式で組み合わせることができる。
【００１１】
下記に図１−３を合わせて本発明を詳しく説明し、意思の疎通にもっと便利なため、後文に出る方位を下記の通りに規定する：下記に述べた上下左右前後の方向は図１自体の投影関係の上下左右前後の方向と一致している。
【００１２】
図１−３に示すように、本発明の水が定量的に流れ出せる保温コップは、コップ主体１０及び前記コップ主体１０の中に設置されて外部に連通している貯水チャンバ１１を含み、前記貯水チャンバ１１の開口のところには密封蓋１２がヒンジにより連結され、前記貯水チャンバ１１の中には隔てブロック２６がスライド可能に設置され、前記隔てブロック２６の中には第一伝動チャンバ１９が設置され、前記第一伝動チャンバ１９の左側端壁の中には第二伝動チャンバ２１が設置され、前記第二伝動チャンバ２１の左側端壁の中にはスライドチャンバ５５が設置され、前記スライドチャンバ５５の中にはスライドブロック２５がスライド可能に設置され、前記スライドブロック２５と前記スライドチャンバ５５の端壁との間には第一復帰装置２４が弾性的に設置され、前記スライドブロック２５の右側端壁の中にはモータ２３が固定的に設置され、前記モータ２３の出力軸の右に伸びている末端には第一傘歯車２２が固定的に設置され、前記第一伝動チャンバ１９の頂壁の中には遠心チャンバ１３が設置され、前記遠心チャンバ１３と前記第一伝動チャンバ１９との間には回転スリーブ３４が回転可能に設置され、前記第一伝動チャンバ１９の中の前記回転スリーブ３４の外面には前記第一傘歯車２２と噛み合っている第二傘歯車１８が固定的に設置され、前記遠心チャンバ１３の中の前記回転スリーブ３４の外面には遠心盤３５が固定的に設置され、前記遠心盤３５の円周壁の中にはスライド溝３６が中心対称的に設置され、前記スライド溝３６の中には遠心ブロック３７がスライド可能に設置され、前記遠心ブロック３７と前記スライド溝３６の端壁との間には第二復帰装置３８が弾性的に設置され、前記回転スリーブ３４の中には上下に貫通している回転チャンバ３３が設置され、前記回転チャンバ３３の内壁の中には斜め溝４０が中心対称的に設置され、前記回転チャンバ３３の中にはねじスリーブ３４が回転可能に設置され、前記ねじスリーブ３４の円周壁には前記斜め溝４０に対応している第一スライド穴４２が中心対称的に設置され、前記第一スライド穴４２の中には第一スライドロッド３９がスライド可能に設置され、前記第一スライドロッド３９と前記第一スライド穴４２の端壁の間には第一ばね４１が弾性的に設置され、前記ねじスリーブ３４の中には上下に貫通しているねじ穴５６が設置され、前記ねじ穴５６の中には上下に伸びているねじロッド３１がねじ山により連結され、前記ねじロッド３１の上下両側末端が前記貯水チャンバ１１の上下端壁に固定的に設置され、前記スライドブロック２５の中には上下に貫通している水流出穴２０が設置され、前記遠心チャンバ１３の右側端壁の中には前記水流出穴２０を貫通している第二スライド穴１５が設置され、前記第ニスライド穴１５の中には第二スライドロッド１７がスライド可能に設置され、前記第二スライドロッド１７と前記第二スライド穴１５の端壁との間には第三復帰装置１４が弾性的に設置され、前記第二スライドロッド１７の中には上下に貫通している抜き穴１６が設置され、前記遠心盤３５が回転して前記遠心ブロック３７を連動させて外へ移動させ、それにより前記第二スライドロッド１７を移動連動させ、それにより前記抜き穴１６を連動させて前記水流出穴２０と位置合わせし、それにより湯の入りと流出を実現する。
【００１３】
有益なように、前記スライドチャンバ５５の頂壁の中には第三スライド穴４４が設置され、前記第三スライド穴４４の中には前記スライドブロック２５と固定的に連結される第三スライドロッド５０及び前記第三スライドロッド５０の上方に位置している第一ラック４３がスライド可能に設置され、前記第一ラック４３と前記第三スライドロッド５０との間には第二ばね４９が弾性的に設置され、前記第一ラック４３の頂壁には浮力ボール２９が固定的に装着され、前記第三スライドロッド５０の左側端壁の中にはロック溝５４が設置され、前記第三スライド穴４４の左側端壁の中には第四スライド穴４６が設置され、前記第四スライド穴４６の中には第二ラック４５がスライド可能に設置され、前記第四スライド穴４６と前記第三スライド穴４４との間にはギヤチャンバ４８が連通するように設置され、前記ギヤチャンバ４８の中には前記第一ラック４３及び前記第二ラック４５と噛み合っているギヤ４７が回転可能に設置され、前記第三スライド穴４４の左側端壁の中には前記第四スライド穴４６を貫通している第五スライド穴５７が設置され、前記第五スライド穴５７の中にはロックロッド５２がスライド可能に設置され、前記ロックロッド５２と前記第五スライド穴５７の端壁との間には第三ばね５１が弾性的に設置され、前記ロックロッド５２の中には楔形穴５３が設置され、前記第二伝動チャンバ２１の頂壁の中には撹拌軸２７が回転可能に設置され、前記第二伝動チャンバ２１の中の前記撹拌軸２７の末端には第三傘歯車３０が固定的に設置され、前記撹拌軸２７の外面には複数組の撹拌羽根２８が固定的に設置され、設備が前記浮力ボール２９を利用して前記隔てブロック２６を制御して上下に移動させ、それにより定量の水の流出を実現する。
【００１４】
以下、出願人は附図１−３及び上記に述べた本出願の水が定量的に流れ出せる保温コップの具体的な構成を参考してその使用方法を詳しく紹介する：
【００１５】
本発明の保温コップを利用して水を飲む時、まずモータ２３を始動し、モータ２３が回転して第一傘歯車２２を回転連動させ、それにより第二傘歯車１８と、回転スリーブ３２と遠心盤３５とを回転連動させ、遠心盤３５が回転して遠心ブロック３７を連動させて外へ移動させ、それにより第二スライドロッド１７を移動連動させ、それにより抜き穴１６を連動させて水流出穴２０と位置合わせし、それと同時に、回転スリーブ３２が回転してねじスリーブ３４を回転連動させ、それにより隔てブロック２６を連動させてねじロッド３１に沿って下へ移動させ、この時に隔てブロック２６の下方の湯を隔てブロック２６の上方まで押し出し、湯が浮力ボール２９と接触した時、浮力ボール２９が浮力作用のもとで上へ移動し、それにより第一ラック４３を連動させて上へ移動させ第二ねば４９を引っ張り、それと同時に第一ラック４３が上へ移動して第二ラック４５を連動させて下へ移動させ、第二ラック４５が下へ移動してロックロッド５２を連動させて左へ移動させてロック溝５４から出し、この時に第三スライドロッド５０が第二ばね４９の作用の下で上へ移動し、この時にスライドブロック２６が上へ移動し、遠心盤３５の回転が停止し、第二スライドロッド１７が左へ移動して水流出穴２０を密封し、この時にモータ２２を始動し、モータ２２が回転して第一傘歯車２２を回転連動させ、それにより第二傘歯車１８と、撹拌軸２７と撹拌羽根２８とを回転連動させ、それにより隔てブロック２６の上方にある湯への撹拌を連動させて放熱させ、温度が適合になる時、使用者が水を飲むことに便利を与え、隔てブロック２６の上方の湯を飲み終わると、スライドブロック２５が下へ移動し、設備が初期状態に戻り、隔てブロック２６の下方の湯を飲む終わって水を加える時、モータ２３が逆方向へ回転して第一傘歯車２２を連動させて逆方向へ回転させ、それにより第二傘歯車１８と、回転スリーブ３２と遠心盤３５とを連動させて逆方向へ回転させ、遠心盤３５が回転して遠心ブロック３７を連動させて外へ移動させ、それにより第二スライドロッド１７を移動連動させ、それにより抜き穴１６を連動させて水流出穴２０と位置合わせし、それと同時に回転スリーブ３２が逆方向へ回転してねじスリーブ３４を連動させて逆方向へ回転させ、それにより隔てブロック２６を連動させてねじロッド３１に沿って上へ移動させ、この時に貯水チャンバ１１の中に湯をゆっくり加え、加水完了後にモータ２３を閉め、遠心盤３５の回転が停止し、第二スライドロッド１７が左へ移動して水流出穴２０を密封し、加水を完成する。
【００１６】
以上詳細な分析からわかったのは：本発明の保温コップは水を飲む時にコップから水を定量で流れ出させることができ、また水が流れ出した後に速やかに撹拌を行い、それにより湯を速く適宜な温度に至るまで放熱させ、水を飲む人に便利を与える。
【００１７】
上記は、ただ発明の具体的な実施方式であり、発明の保護範囲はこれに限定されるものではなく、創造的な労働を通さない場合で想到できるすべての変化または入れ替わりはいずれも発明の保護範囲に含むべきである。そのため、発明の保護範囲は請求項に限定された保護範囲を基準とするベきである。
【図１】
2020175099.tif 000003
【図２】
2020175099.tif 000004
【図３】
2020175099.tif 000005
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
コップ主体及び前記コップ主体の中に設置されて外部に連通している貯水チャンバを含み、前記貯水チャンバの開口のところには密封蓋がヒンジにより連結され、前記貯水チャンバの中には隔てブロックがスライド可能に設置され、前記隔てブロックの中には第一伝動チャンバが設置され、前記第一伝動チャンバの左側端壁の中には第二伝動チャンバが設置され、前記第二伝動チャンバの左側端壁の中にはスライドチャンバが設置され、前記スライドチャンバの中にはスライドブロックがスライド可能に設置され、前記スライドブロックと前記スライドチャンバの端壁との間には第一復帰装置が弾性的に設置され、前記スライドブロックの右側端壁の中にはモータが固定的に設置され、前記モータの出力軸の右に伸びている末端には第一傘歯車が固定的に設置され、前記第一伝動チャンバの頂壁の中には遠心チャンバが設置され、前記遠心チャンバと前記第一伝動チャンバとの間には回転スリーブが回転可能に設置され、前記第一伝動チャンバの中の前記回転スリーブの外面には前記第一傘歯車と噛み合っている第二傘歯車が固定的に設置され、前記遠心チャンバの中の前記回転スリーブの外面には遠心盤が固定的に設置され、前記遠心盤の円周壁の中にはスライド溝が中心対称的に設置され、前記スライド溝の中には遠心ブロックがスライド可能に設置され、前記遠心ブロックと前記スライド溝の端壁との間には第二復帰装置が弾性的に設置され、前記回転スリーブの中には上下に貫通している回転チャンバが設置され、前記回転チャンバの内壁の中には斜め溝が中心対称的に設置され、前記回転チャンバの中にはねじスリーブが回転可能に設置され、前記ねじスリーブの円周壁には前記斜め溝に対応している第一スライド穴が中心対称的に設置され、前記第一スライド穴の中には第一スライドロッドがスライド可能に設置され、前記第一スライドロッドと前記第一スライド穴の端壁の間には第一ばねが弾性的に設置され、前記ねじスリーブの中には上下に貫通しているねじ穴が設置され、前記ねじ穴の中には上下に伸びているねじロッドがねじ山により連結され、前記ねじロッドの上下両側末端が前記貯水チャンバの上下端壁に固定的に設置され、前記スライドブロックの中には上下に貫通している水流出穴が設置され、前記遠心チャンバの右側端壁の中には前記水流出穴を貫通している第二スライド穴が設置され、前記第ニスライド穴の中には第二スライドロッドがスライド可能に設置され、前記第二スライドロッドと前記第二スライド穴の端壁との間には第三復帰装置が弾性的に設置され、前記第二スライドロッドの中には上下に貫通している抜き穴が設置され、前記遠心盤が回転して前記遠心ブロックを連動させて外へ移動させ、それにより前記第二スライドロッドを移動連動させ、それにより前記抜き穴を連動させて前記水流出穴と位置合わせし、それにより湯の入りと流出を実現でき、
前記スライドチャンバの頂壁の中には第三スライド穴が設置され、前記第三スライド穴の中には前記スライドブロックと固定的に連結される第三スライドロッド及び前記第三スライドロッドの上方に位置している第一ラックがスライド可能に設置され、前記第一ラックと前記第三スライドロッドとの間には第二ばねが弾性的に設置され、前記第一ラックの頂壁には浮力ボールが固定的に装着され、前記第三スライドロッドの左側端壁の中にはロック溝が設置され、前記第三スライド穴の左側端壁の中には第四スライド穴が設置され、前記第四スライド穴の中には第二ラックがスライド可能に設置され、前記第四スライド穴と前記第三スライド穴との間にはギヤチャンバが連通するように設置され、前記ギヤチャンバの中には前記第一ラック及び前記第二ラックと噛み合っているギヤが回転可能に設置され、前記第三スライド穴の左側端壁の中には前記第四スライド穴を貫通している第五スライド穴が設置され、前記第五スライド穴の中にはロックロッドがスライド可能に設置され、前記ロックロッドと前記第五スライド穴の端壁との間には第三ばねが弾性的に設置され、前記ロックロッドの中には楔形穴が設置され、前記第二伝動チャンバの頂壁の中には撹拌軸が回転可能に設置され、前記第二伝動チャンバの中の前記撹拌軸の末端には第三傘歯車が固定的に設置され、前記撹拌軸の外面には複数組の撹拌羽根が固定的に設置され、設備が前記浮力ボールを利用して前記隔てブロックを制御して上下に移動させ、それにより定量の水の流出を実現することを特徴とする水が定量的に流れ出せる保温コップ。